(57)【特許請求の範囲】
【請求項１】
電動歯ブラシと、
該電動歯ブラシの載置台と、を備える電動歯ブラシシステムにおいて、
前記載置台は、前記電動歯ブラシが載置される土台部、及び前記電動歯ブラシを使用する使用者に視認させる表示情報が変化する表示部を有し、
該表示部は、前記土台部に前記電動歯ブラシが載置された際に該電動歯ブラシの背面側に位置する電動歯ブラシシステムであって、
前記表示部は、前記電動歯ブラシが前記土台部に載置された状態においても、少なくとも一部が正面側に露出するように設けられており、
前記載置台には、前記電動歯ブラシが載置されているか否かを判別し、該電動歯ブラシが載置されている場合と載置されていない場合とで前記表示部に表示する情報を変更する制御部が備えられていることを特徴とする電動歯ブラシシステム。
【請求項２】
上方に向かうにつれて後方に傾斜する傾斜面を有し、該傾斜面によって電動歯ブラシを支持する支持部が備えられており、
該支持部の傾斜面に前記表示部が設けられていることを特徴とする請求項１に記載の電動歯ブラシシステム。
【請求項３】
前記表示情報は経過時間に関する情報であることを特徴とする請求項１または２に記載の電動歯ブラシシステム。
【請求項４】
前記表示情報は歯磨きの推奨部位に関する情報であることを特徴とする請求項１または２に記載の電動歯ブラシシステム。
【請求項５】
前記載置台は前記電動歯ブラシを充電する充電台であることを特徴とする請求項１〜４のいずれか一つに記載の電動歯ブラシシステム。
【請求項６】
前記電動歯ブラシが載置されていない場合の表示情報は経過時間または歯磨きの推奨部位に関する情報であり、前記電動歯ブラシが載置されている場合の表示情報は充電に関する情報であることを特徴とする請求項５に記載の電動歯ブラシシステム。
【発明の詳細な説明】
【技術分野】
【０００１】
本発明は、電動歯ブラシシステムに関するものである。
【背景技術】
【０００２】
従来、電動歯ブラシに、歯磨き経過時間などの情報を表示させる表示部が設けられた技術が知られている（特許文献１参照）。しかしながら、電動歯ブラシ自体に表示部が設けられている場合には、歯磨き中においては表示部を見難いという欠点がある。
【０００３】
また、電動歯ブラシを載置する台に、表示部を設けた技術も知られている（特許文献２，３参照）。しかしながら、従来例に係る載置台の場合には、表示部が常に視界に入る位置に設けられた構成を採用していることから、載置台自体が大型化してしまったり、それにより狭い洗面台など載置台を置くスペースが狭いところでは使用できなかったりするという問題がある。
【特許文献１】特開２００７−３２５８０６号公報
【特許文献２】特開２０００−１１６５５４号公報
【特許文献３】実開平３−７２２９４号公報
【発明の開示】
【発明が解決しようとする課題】
【０００４】
本発明の目的は、表示部を備えた載置台を狭いスペースに設置することのできる電動歯ブラシシステムを提供することにある。
【課題を解決するための手段】
【０００５】
本発明は、上記課題を解決するために以下の手段を採用した。
【０００６】
すなわち、本発明の電動歯ブラシシステムは、
電動歯ブラシと、
該電動歯ブラシの載置台と、を備える電動歯ブラシシステムにおいて、
前記載置台は、前記電動歯ブラシが載置される土台部、及び前記電動歯ブラシを使用する使用者に視認させる表示情報が変化する表示部を有し、
該表示部は、前記土台部に前記電動歯ブラシが載置された際に該電動歯ブラシの背面側に位置する電動歯ブラシシステムであって、
前記表示部は、前記電動歯ブラシが前記土台部に載置された状態においても、少なくとも一部が正面側に露出するように設けられており、
前記載置台には、前記電動歯ブラシが載置されているか否かを判別し、該電動歯ブラシが載置されている場合と載置されていない場合とで前記表示部に表示する情報を変更する制御部が備えられていることを特徴とする。
【０００７】
本発明によれば、表示情報が変化する表示部は、土台部に電動歯ブラシが載置された際に電動歯ブラシの背面側に位置するように構成されている。従って、常に視界に入る位置に表示部を設ける場合に比べて、狭いスペースに載置台を設置することが可能となる。
【０００８】
つまり、本発明によれば、表示情報が変化する表示部は、土台部に電動歯ブラシが載置された際における電動歯ブラシの背面側に位置する。そのため、設置台自体を大きくする必要もなく、電動歯ブラシの正面側を電動歯ブラシの載置作業等のための空間領域として利用できる。従って、狭いスペースに載置台を設置しても、電動歯ブラシの載置作業等を行う際に表示部が邪魔になることはない。また、電動歯ブラシを載置台から取り出した状態では、表示部が露出するため、歯を磨いている間は、表示部を見ることができ、表示部としての役割は十分に果たされる。
【０００９】
また、本発明においては、載置台に電動歯ブラシが載置された状態において、少なくとも電動歯ブラシの高さ分だけ表示部の領域を確保しても、載置台の設置スペースにはあま
り影響がない。従って、表示部を大きくすることができる。
【００１０】
上方に向かうにつれて後方に傾斜する傾斜面を有し、該傾斜面によって電動歯ブラシを支持する支持部が備えられており、
該支持部の傾斜面に前記表示部が設けられているとよい。
【００１１】
これにより、支持部における傾斜面を、電動歯ブラシを支持する機能を発揮させると共に、表示部としての機能を発揮させることができる。また、傾斜面に表示部を設けることで、視認性も向上する。
【００１２】
前記表示情報は経過時間に関する情報であるとよい。なお、「経過時間に関する情報」には、例えば、電動歯ブラシを載置台から取り出してからの経過時間（通常、おおよそ歯を磨いている時間に相当する）の他、予め設定した時間までの残り時間も含まれる。
【００１３】
前記表示情報は歯磨きの推奨部位に関する情報であることも好適である。
【００１５】
また、前記表示部は、前記電動歯ブラシが前記土台部に載置された状態においても、少なくとも一部が正面側に露出するように設けられており、前記載置台には、前記電動歯ブラシが載置されているか否かを判別し、該電動歯ブラシが載置されている場合と載置されていない場合とで前記表示部に表示する情報を変更する制御部が備えられているので、電動歯ブラシが載置されている場合と載置されていない場合（つまり歯を磨いている場合）とで、それぞれに適した情報を表示させることができ、ユーザにとって有効な表示情報を表示させることができる。
【００１６】
前記載置台は前記電動歯ブラシを充電する充電台であるとよい。
【００１７】
そして、前記電動歯ブラシが載置されていない場合の表示情報は経過時間または歯磨きの推奨部位に関する情報であり、前記電動歯ブラシが載置されている場合の表示情報は充電に関する情報であるとよい。これにより、それぞれの場合に適した情報が表示される。
【００１８】
なお、上記各構成は、可能な限り組み合わせて採用し得る。
【発明の効果】
【００１９】
以上説明したように、本発明によれば、表示部を備えた載置台を狭いスペースに設置することができる。
【発明を実施するための最良の形態】
【００２０】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２１】
（実施例１）
図１〜図８を参照して、本発明の実施例１に係る電動歯ブラシシステムについて説明する。図１は本発明の実施例１に係る電動歯ブラシシステムの側面図である。図２は本発明の実施例１に係る載置台（充電台）の斜視図である。図３は本発明の実施例１に係る載置台（充電台）に電動歯ブラシを載置していない状態と載置している状態を説明する説明図である。図４は本発明の実施例１に係る載置台（充電台）の内部構成図である。図５は本
発明の実施例１に係る載置台（充電台）の表示部の拡大図である。図６は本発明の実施例１に係る電動歯ブラシシステムにおける歯磨き中の表示部の表示制御手順を示すフローチャートである。図７及び図８は本発明の実施例１に係る電動歯ブラシシステムにおける載置台に電動歯ブラシを載置している間の表示部の表示制御手順を示すフローチャートである。
【００２２】
＜電動歯ブラシシステム全体＞
特に、図１を参照して、本発明の実施例１に係る電動歯ブラシシステム全体の構成について説明する。本発明の実施例１に係る電動歯ブラシシステムは、電動歯ブラシ１００と、電動歯ブラシ１００の載置台としての機能を有すると共に電動歯ブラシ１００を充電する充電機能を有する充電台２００とから構成される。電動歯ブラシ１００は、電動歯ブラシ本体１０１と、この電動歯ブラシ本体１０１に装着されるブラシ部品１０２とから構成される。ブラシ部品１０２は消耗部品であり、新品のものと取り替えることができるように、また、使用者によって使い分けできるように、電動歯ブラシ本体１０１に対して簡単に着脱できるように構成されている。また、本実施例に係る充電台２００は、交換用のブラシ部品１０２ａも載置することができるように構成されている。
【００２３】
＜充電台（載置台）の外観構成＞
特に、図２を参照して、本発明の実施例１に係る充電台（載置台）の外観構成について説明する。本実施例に係る充電台２００は、電動歯ブラシ１００が載置される土台部２０１と、土台部２０１に一体的に設けられ、電動歯ブラシ１００を支持する支持部２０２とを備えている。この支持部２０２の正面側は、上方に向かうにつれて後方に傾斜する傾斜面によって構成されている。そして、この傾斜面に複数の表示部２０３が設けられている。また、土台部２０１における支持部２０２の後方側には、交換用のブラシ部品１０２ａを置くための突起２０４が設けられている。更に、支持部２０２には、電動歯ブラシ１００が左右方向に倒れてしまわないためのガイド２０５が設けられている。
【００２４】
＜表示部の視認性＞
特に、図３を参照して、充電台２００に電動歯ブラシ１００を載置していない状態と載置している状態における表示部２０３の視認性について説明する。図３（ａ）に示すように、充電台２００に電動歯ブラシ１００が載置されていない状態では、支持部２０２の正面側の傾斜面が全面的に露出した状態となり、表示部２０３の全てが正面側に露出した状態となる。
【００２５】
また、図３（ｂ）に示すように電動歯ブラシ１００が充電台２００の中央に載置された状態、及び図３（ｃ）に示すように電動歯ブラシ１００が充電台２００の端に載置された状態においても、表示部２０３の一部が正面側に露出するように構成されている。
【００２６】
＜充電台（載置台）の内部構成＞
特に、図４を参照して、本発明の実施例１に係る充電台（載置台）の内部構成について説明する。本実施例に係る充電台２００は、電源２０６と、電動歯ブラシ１００が載置されているか否かを検出するセンサ２０７と、電動歯ブラシ１００を充電するための誘導コイル２０８と、表示部２０３に表示する情報についての制御を行う制御部としての制御基板２０９とを備えている。
【００２７】
本実施例においては、表示部２０３は光の点滅によって情報を表示するように構成されており、制御基板２０９には、各表示部２０３に対応した位置にそれぞれ光源２０３ａが設けられている。
【００２８】
センサ２０７は、押しボタン式のスイッチにより構成されており、電動歯ブラシ１００
が充電台２００の土台部２０１に載置されると、電動歯ブラシ１００の自重によりスイッチが押されて電動歯ブラシ１００が載置されていることを検出できる。なお、電動歯ブラシ１００が載置されているか否かを検出するセンサとしては、これに限られるものではなく、圧電素子を利用したものや光学式のものなど、適宜、公知技術を採用することができる。
【００２９】
また、本実施例に係る充電台２００は、非接触式の充電方式を採用しており、上記の通り、充電台２００には誘導コイル２０８が設けられている。これにより、電磁誘導を利用して電動歯ブラシ１００を充電できる。なお、非接触式の充電方式に関する技術については公知技術であるので、その詳細説明は省略する。また、充電方式に関しては、非接触式のものに限らず、接触式のものを採用することもできる。
【００３０】
＜表示部による表示情報＞
特に、図５を参照して、本発明の実施例１に係る電動歯ブラシシステムにおける表示部２０３の表示情報について説明する。本実施例に係る電動歯ブラシシステムにおいては、表示部２０３によって、歯磨き中は歯磨き経過時間（実際には電動歯ブラシ１００が充電台２００から取り出されてからの経過時間）を表示し、充電台２００に電動歯ブラシ１００を載置している間は、電動歯ブラシ１００の充電量を表示するようにしている。
【００３１】
本実施例では、３つの表示部２０３が上下方向に並べて設けられている。そして、上記の通り、制御基板２０９に設けられた光源２０３ａを点灯させたり、消灯させたりすることで、表示部２０３が点滅するように構成されている。
【００３２】
図５に示すように、各表示部２０３の右上辺りには、下の表示部２０３から順に、それぞれ「１分経過」「２分経過」「３分経過」と印字されている。そして、図５（ａ）に示すように、電動歯ブラシ１００が充電台２００から取り出されると、取り出されてからの経過時間に応じて、点灯する表示部２０３が変更するように構成されている。これにより、ユーザは経過時間を知ることができる。なお、歯磨き時間として、一般的に、歯科医は３分を推奨している。そこで、本実施例では、３分までの経過時間を表示部２０３によって表示するように構成している。
【００３３】
また、本実施例に係る電動歯ブラシシステムにおいては、図５（ｂ）に示すように、電動歯ブラシ１００が充電台２００に載置された状態では、電動歯ブラシ１００の充電量に応じて、点灯する表示部２０３の個数が変わるように構成されている。すなわち、充電量がない場合には全ての表示部２０３が消灯し、充電量が少ない場合には一番下の表示部２０３のみが点灯し、充電量が半分くらいの場合には真ん中と一番下の表示部２０３が点灯し、充電量が十分な場合には全ての表示部が点灯するように構成されている。これにより、ユーザは表示部２０３の点灯している数で充電量を知ることができる。
【００３４】
＜表示部を表示させる制御手順＞
＜＜歯磨き時間＞＞
図６を参照して、歯磨き中における歯磨き経過時間を表示部２０３によって表示させる制御手順について説明する。
【００３５】
充電台２００に電源が入っている状態においては、制御基板２０９は電動歯ブラシ１００が充電台２００から外されたか否か（取り出されたか否か）を常に監視している（Ｓ１）。センサ２０７によって電動歯ブラシ１００が充電台２００から取り出されたことが検出されると、制御基板２０９は時間計測を開始する（Ｓ２）。経過時間の計測を開始した後は、制御基板２０９は１分経過したか否かを監視する（Ｓ３，Ｓ４）。そして、１分経過したら、制御基板２０９は表示部２０３を点灯させる（Ｓ５）。なお、全ての表示部２
０３が消灯状態にある場合には、一番下の表示部２０３を点灯させ、いずれかの表示部２０３が点灯状態にある場合には、点灯している表示部２０３の一つ上の表示部２０３を点灯させる。このとき、点灯していた表示部２０３は消灯させる。
【００３６】
Ｓ５において、表示部２０３を点灯させた後に、制御基板２０９は時間計測を開始してから３分経過しているか否かを判定する（Ｓ６）。３分経過している場合には、制御基板２０９は、本制御を終了し、再び、電動歯ブラシ１００が充電台２００から外されたか否かの監視を行う（Ｓ１）。一方、３分経過していない場合には、制御基板２０９は電動歯ブラシ１００が充電台２００に載置されているか否かを判定する（Ｓ７）。電動歯ブラシ１００が充電台２００に載置されていると判定した場合には、制御基板２０９は、本制御を終了し、再び、電動歯ブラシ１００が充電台２００から外されたか否かの監視を行う（Ｓ１）。電動歯ブラシ１００が充電台２００に載置されていないと判定した場合には、制御基板２０９は、Ｓ５にて表示部２０３を点灯させてから、更に１分が経過したか否かを監視する（Ｓ３，Ｓ４）。
【００３７】
以上の制御によって、電動歯ブラシ１００が充電台２００から取り出されてから１分が経過した場合には一番下の表示部２０３が点灯し、２分が経過した場合には真ん中の表示部２０３が点灯し、３分が経過した場合には一番上の表示部２０３が点灯する。これにより、ユーザは電動歯ブラシ１００を充電台２００から取り出してからの経過時間を認識することができ、歯磨き時間の目安とすることができる。
【００３８】
＜＜充電量（１）＞＞
図７を参照して、電動歯ブラシ１００を充電台２００に載置している間に、電動歯ブラシ１００の充電量を表示部２０３によって表示させる制御手順（１）について説明する。
【００３９】
充電台２００に電源が入っている状態においては、制御基板２０９は電動歯ブラシ１００が充電台２００に載置されているか否かを常に監視している（Ｓ１）。センサ２０７によって電動歯ブラシ１００が充電台２００に載置されたことが検出されると、制御基板２０９は、電動歯ブラシ１００の電池残量表示モード制御を開始する（Ｓ２）。そして、制御基板２０９は、電動歯ブラシ１００の電圧を計測する（Ｓ３）。具体的には、電動歯ブラシ１００の電池の両端の電圧を測定し、予め設定された電圧値との比較結果に応じて電池残量を推定する。電圧を計測後、制御基板２０９は、計測された電圧に応じて電動歯ブラシ１００の電池残量を表示する（Ｓ４）。具体的には、上記の通り、残量に応じて表示部２０３の点灯数を変更する。そして、制御基板２０９は、測定された電圧が、一定電圧（充電量が十分な場合に相当する電圧）以上であるか否かを判定する（Ｓ５）。一定電圧以上であれば、制御基板２０９は、本制御を終了し、再び、電動歯ブラシ１００が充電台２００に載置されているか否かを監視する（Ｓ１）。一方、一定電圧以上でない場合には、電動歯ブラシ１００の電圧計測（Ｓ３）を継続する。
【００４０】
以上の制御によって、電動歯ブラシ１００の充電量に応じた個数の表示部２０３が点灯する。これにより、ユーザは電動歯ブラシ１００の充電量を認識することができる。
【００４１】
＜＜充電量（２）＞＞
図８を参照して、電動歯ブラシ１００を充電台２００に載置している間に、電動歯ブラシ１００の充電量を表示部２０３によって表示させる制御手順（２）について説明する。なお、上記制御手順（１）では電動歯ブラシ１００の充電量を、電動歯ブラシ１００の電圧値に基づいて測定していたのに対して、制御手順（２）では、充電時間に基づいて充電量を測定する場合を説明する。
【００４２】
充電台２００に電源が入っている状態においては、制御基板２０９は電動歯ブラシ１０
０が充電台２００に載置されているか否かを常に監視している（Ｓ１）。センサ２０７によって電動歯ブラシ１００が充電台２００に載置されたことが検出されると、制御基板２０９は、電動歯ブラシ１００の電池残量表示モード制御を開始する（Ｓ２）。そして、制御基板２０９は、電動歯ブラシ１００が充電台２００に載置されている時間を計測する（Ｓ３）。時間を計測後、制御基板２０９は、計測された時間に応じて電動歯ブラシ１００の電池残量を表示する（Ｓ４）。具体的には、上記の通り、残量に応じて表示部２０３の点灯数を変更する。そして、制御基板２０９は、測定された経過時間が、一定時間（充電量が十分な場合に相当する時間）以上であるか否かを判定する（Ｓ５）。一定時間以上であれば、制御基板２０９は、本制御を終了し、再び、電動歯ブラシ１００が充電台２００に載置されているか否かを監視する（Ｓ１）。一方、一定時間以上でない場合には、経過時間の計測（Ｓ３）を継続する。
【００４３】
以上の制御によって、電動歯ブラシ１００の充電量に応じた個数の表示部２０３が点灯する。これにより、ユーザは電動歯ブラシ１００の充電量を認識することができる。なお、充電量を表示させる制御については、制御手順（１）（２）のいずれを採用しても構わない。
【００４４】
＜本実施例の優れた点＞
以上のように、本実施例に係る電動歯ブラシシステムによれば、載置台としての充電台２００に設けられる、表示情報が変化する表示部２０３は、土台部２０１に電動歯ブラシ１００が載置された際に電動歯ブラシ１００の背面側に位置するように構成されている。従って、常に視界に入る位置に表示部を設ける場合に比べて、狭いスペースに充電台２００を設置することが可能となる。
【００４５】
すなわち、電動歯ブラシの載置台を設置するスペースについては、載置台自体が占める領域だけでなく、電動歯ブラシを載置台に置いたり、載置台から電動歯ブラシを取り出したりするための空間領域が確保されなければならない。そのため、表示部が電動歯ブラシの載置作業等の妨げにならないようにしなければならず、常に視界に入る位置に表示部を設ける場合には、載置台自体を大きくするか、電動歯ブラシの載置作業等のための空間領域を十分に確保しなければならない。
【００４６】
これに対して、本実施例に係る電動歯ブラシシステムによれば、表示情報が変化する表示部２０３は、充電台２００における土台部２０１に電動歯ブラシ１００が載置された際における電動歯ブラシ１００の背面側に位置する。そのため、充電台２００自体を大きくする必要もなく、電動歯ブラシ１００の正面側を電動歯ブラシ１００の載置作業等のための空間領域として利用できる。従って、狭いスペースに充電台２００を設置しても、電動歯ブラシ１００の載置作業等を行う際に表示部２０３が邪魔になることはない。また、電動歯ブラシ１００を充電台２００台から取り出した状態では、表示部２０３が露出するため、歯を磨いている間は、表示部２０３を十分に見ることができ、表示部２０３としての役割は十分果たされる。
【００４７】
また、充電台２００に電動歯ブラシ１００が載置された状態において、少なくとも電動歯ブラシ１００の高さ分だけ表示部２０３の領域を確保しても、充電台２００の設置スペースにはあまり影響がない。従って、表示部２０３の配置領域を大きくすることができる。
【００４８】
また、本実施例においては、充電台２００における支持部２０２の正面側の傾斜面を、電動歯ブラシ１００を支持する機能を発揮させると共に、この傾斜面に表示部２０３を設けている。したがって、この傾斜面は２つの機能、すなわち電動歯ブラシ１００を支持する機能と表示機能を兼ね備えている。また、傾斜面に表示部２０３を設けたことで、視認
性も向上する。
【００４９】
また、本実施例の場合には、表示部２０３によって、電動歯ブラシ１００が充電台２００に載置されていない場合には、電動歯ブラシ１００を充電台２００から取り出してからの経過時間（歯を磨いている時間）を表示させ、載置されている場合には充電量を表示させるように制御している。従って、電動歯ブラシ１００が載置されている場合と載置されていない場合（つまり歯を磨いている場合）とで、それぞれの場合に適した情報が得られる。
【００５０】
なお、本実施例においては、電動歯ブラシ１００を充電台２００から取り出してからの経過時間そのものを表示する場合を示した。しかしながら、これに関連する情報として、経過時間そのものではなく、予め設定した時間までの残り時間を表示するようにしてもよい。
【００５１】
（実施例２）
図９には、本発明の実施例２が示されている。本実施例では、実施例１における表示部の変形例を示す。その他の構成および作用については実施例１と同一なので、その説明は省略する。図９は本発明の実施例２に係る載置台（充電台）の表示部の拡大図である。
【００５２】
上記実施例１に係る充電台では、３つの表示部が上下方向に並べて設けられていたのに対して、本実施例に係る充電台２００ａの場合には、１０個の表示部２１０が上下方向に並べて設けられている。本実施例において、３分までの歯磨き経過時間（充電台２００ａから電動歯ブラシ１００が取り外されてからの経過時間）を表示部２１０によって表示させる場合には、点灯する表示部を１８秒ごとに移動させる。これにより、ユーザは、経過時間をより細かく知ることができる。
【００５３】
以上のように、本実施例の場合にも、上記実施例１の場合と同様の効果を得ることができる。また、本実施例の場合には、上記の通り、ユーザは歯を磨いている間の経過時間をより細かく知ることができる。なお、充電量を表示させる場合には、より細かな充電量を表示させることができる。
【００５４】
（実施例３）
図１０〜図１２には、本発明の実施例３が示されている。本実施例では、実施例１における表示部及び表示情報の変形例を示す。その他の構成および作用については実施例１と同一なので、その説明は省略する。図１０及び図１１は本発明の実施例３に係る載置台（充電台）の表示部の拡大図である。図１２は本発明の実施例３に係る電動歯ブラシシステムにおける歯磨き中の表示部の表示制御手順を示すフローチャートである。
【００５５】
上記実施例１，２では、歯磨き中は、単に電動歯ブラシが充電台から取り外されてからの経過時間を表示する場合を示した。これに対し、本実施例では、経過時間と共に、歯磨きの推奨部位を表示する場合を示す。
【００５６】
図１０及び図１１に示すように、本実施例に係る充電台２００ｂ，２００ｃの場合には、６個の表示部２１１，２１２が上下方向に並べて設けられている。図１０に示す充電台２００ｂの場合には、２個の表示部２１１を１組として、各組の上部に、上の組から順に、それぞれ「表面（頬側面としてもよい）」「裏面（舌側面としてもよい）」「噛み合わせ面」と印字されている。図１１に示す充電台２００ｃの場合には、２個の表示部２１２を１組として、各組の上部に、上の組から順に、それぞれ「表面（頬側面としてもよい）」「裏面（舌側面としてもよい）」「噛み合わせ面」と印字され、かつ、各組の左側に、それぞれ「上」「下」と印字されている。
【００５７】
本実施例では、電動歯ブラシ１００が、充電台２００ｂまたは充電台２００ｃから取り出されると、取り出されてからの経過時間に応じて、点灯する表示部２１１，２１２が変更することで、歯磨きの推奨部位が表示される。これにより、ユーザは経過時間を認識でき、かつ表示された推奨部位を、歯を磨く部位の指標とすることができる。
【００５８】
図１２を参照して、歯磨き中における歯磨き経過時間及び歯磨きの推奨部位を、表示部２１１または表示部２１２に表示させる制御手順について説明する。
【００５９】
本実施例において、充電台２００ｂ，２００ｃに電源が入っている状態においては、制御基板２０９は電動歯ブラシ１００が充電台２００ｂ，２００ｃから外されたか否か（取り出されたか否か）を常に監視している（Ｓ１）。センサ２０７によって電動歯ブラシ１００が充電台２００ｂ，２００ｃから取り出されたことが検出されると、制御基板２０９は時間計測を開始する（Ｓ２）と共に、一番上の表示部２１１，２１２を点灯させる。
【００６０】
経過時間の計測を開始した後は、制御基板２０９は３０秒経過したか否かを監視し（Ｓ３）、３０秒経過していない場合には、点灯させている表示部２１１，２１２はそのままにする（Ｓ４）。そして、３０秒経過したら、制御基板２０９は点灯させる表示部２１１，２１２を一つ下のものに移動させる（Ｓ５）。
【００６１】
次に、制御基板２０９は６０秒経過したか否かを監視し（Ｓ６）、６０秒経過していない場合には、点灯させている表示部２１１，２１２はそのままにする（Ｓ７）。そして、６０秒経過したら、制御基板２０９は点灯させる表示部２１１，２１２を一つ下のものに移動させる（Ｓ８）。
【００６２】
同様の手順で、９０秒，１２０秒，１５０秒と繰り返し、１５０秒経過後、制御基板２０９は１８０秒経過したか否かを監視し（Ｓ９）、１８０秒経過していない場合には、点灯させている表示部２１１，２１２はそのままにする（Ｓ１０）。そして、１８０秒経過したら、制御基板２０９は全ての表示部２１１，２１２を点滅（ここでは、短い間隔で点灯と消灯を繰り返すことを意味する。）させる（Ｓ１１）。その後、電動歯ブラシ１００が充電台２００ｂ、２００ｃに載置されたか否かを監視し（Ｓ１２）、載置されたら、本制御を終了し、再び、電動歯ブラシ１００が充電台２００から取り出されたか否かを監視する（Ｓ１）。
【００６３】
以上の制御によって、電動歯ブラシ１００が充電台２００から取り出されてから３０秒毎に、点灯する表示部２１１，２１２が移動する。これにより、ユーザは電動歯ブラシ１００を充電台２００ｂ，２００ｃから取り出してからの経過時間を認識することができ、かつ点灯する表示部２１１，２１２によって、歯を磨く部位の目安を得ることができる。
【００６４】
以上のように、本実施例の場合にも、上記実施例１の場合と同様の効果を得ることができる。また、本実施例の場合には、上記の通り、歯磨きの推奨部位も表示されるので、歯を磨く部位の目安も得られる。
【００６５】
（実施例４）
図１３には、本発明の実施例４が示されている。本実施例では、上記実施例３における表示部の変形例を示す。基本的な構成および作用については実施例１と同一なので、その説明は省略する。図１３は本発明の実施例４に係る載置台（充電台）の表示部の拡大図である。なお、図１３（ａ）は電動歯ブラシ１００が載置されていない状態を示し、図１３（ｂ）は電動歯ブラシ１００が載置されている状態を示している。
【００６６】
本実施例に係る充電台２００ｄの場合には、２行３列を１組とする表示部２１３が、３組設けられ、合計１８個の表示部２１３が並べて設けられている。そして、各組の右上に、上の組から順に、それぞれ「舌側面（裏面としてもよい）」「頬側面（表面としてもよい）」「噛み合わせ面」と印字されている。
【００６７】
本実施例においても、上記実施例３の場合と同様に、電動歯ブラシ１００が、充電台２００ｄから取り出されると、取り出されてからの経過時間に応じて、点灯する表示部２１３が変更する。これにより、ユーザは経過時間を認識でき、かつ表示された推奨部位を、歯を磨く部位の指標とすることができる。また、電動歯ブラシ１００が充電台２００ｄに載置された状態においては、実施例１の場合と同様に、図１３（ｂ）に示すように充電量を表示させることができる。なお、本実施例においては、電動歯ブラシ１００が中央付近に載置された場合、及び電動歯ブラシ１００が端の方に載置された場合のいずれにおいても、２行３列の表示部２１３のうち、中央の列の表示部２１３は電動歯ブラシ１００によって隠れた状態となる。そこで、表示部２１３によって充電量を表示させる場合には、電力消費を抑えるために、左右の列の表示部２１３のみによって充電量を表示させるようにすることも好適である。
【００６８】
以上のように、本実施例の場合にも、上記実施例１の場合と同様の効果を得ることができる。また、本実施例の場合には、上記実施例３の場合と同様に、歯磨きの推奨部位も表示されるので、歯を磨く部位の目安も得られる。そして、本実施例の場合には、歯磨きの推奨部位が上下方向だけでなく、左右方向（左側か右側か中央か）も表示される。従って、歯を磨く部位について、より細かな目安が得られる。
【００６９】
（実施例５）
図１４には、本発明の実施例５が示されている。本実施例では、上記実施例４における表示部の変形例を示す。基本的な構成および作用については実施例１と同一なので、その説明は省略する。図１４は本発明の実施例５に係る載置台（充電台）の表示部の拡大図である。
【００７０】
本実施例に係る充電台２００ｅの場合には、合計１８個の表示部２１４が歯の模型のように、並べて設けられている。すなわち、図示のように、３×３の９個を１組とする表示部２１４が上下に円形状に並べて設けられている。そして、上の組の上部には「頬側面（表面としてもよい）」と印字され、下部には「舌側面（裏面としてもよい）」及び「上」と印字されている。また、下の組の上部には「下」及び「舌側面（裏面としてもよい）」と印字され、下部には「頬側面（表面としてもよい）」と印字されている。
【００７１】
本実施例においても、上記実施例３及び４の場合と同様に、電動歯ブラシ１００が、充電台２００ｅから取り出されると、取り出されてからの経過時間に応じて、点灯する表示部２１４が変更する。これにより、ユーザは経過時間を認識でき、かつ表示された推奨部位を、歯を磨く部位の指標とすることができる。
【００７２】
以上のように、本実施例の場合にも、上記実施例１の場合と同様の効果を得ることができる。また、本実施例の場合にも、実施例４の場合と同様に、歯磨きの推奨部位が上下方向だけでなく、左右方向（左側か右側か中央か）も表示される。従って、歯を磨く部位について、より細かな目安が得られる。また、本実施例の場合には、表示部２１４が歯の模型のように構成されているため、上記実施例４の場合よりも、歯を磨く推奨部位が分かり易い。
【００７３】
（実施例６）
図１５には、本発明の実施例６が示されている。本実施例では、上記実施例１における
印字内容の変形例を示す。基本的な構成および作用については実施例１と同一なので、その説明は省略する。図１５は本発明の実施例６に係る載置台（充電台）の表示部の拡大図である。なお、図１５（ａ）は電動歯ブラシ１００が載置されていない状態を示し、図１５（ｂ）は電動歯ブラシ１００が載置されている状態を示している。
【００７４】
上記実施例１では３つの表示部の右上辺りには、下の表示部から順に、それぞれ「１分経過」「２分経過」「３分経過」と印字されている場合を示した。これに対して、本実施例に係る充電台２００ｆに設けられた３つの各表示部２１４の右上辺りには、上の表示部２１４から順に、それぞれ「舌側面（裏面としてもよい）」「頬側面（表面としてもよい）」「噛み合わせ面」と印字されている。
【００７５】
このように、実施例１において印字内容を変更するだけで、歯磨きの推奨部位を表示させることが可能となる。なお、本実施例においても、上記実施例１で説明したように、図１５（ｂ）に示すように、電動歯ブラシ１００が充電台２００ｄに載置された状態においては充電量を表示させることができる。
【００７６】
（実施例７）
図１６には、本発明の実施例７が示されている。本実施例では上記実施例１における充電台の外観形状の変形例を示す。基本的な構成および作用については実施例１と同一なので、その説明は省略する。図１６は本発明の実施例７に係る載置台（充電台）の斜視図である。
【００７７】
本実施例に係る充電台２５０は、電動歯ブラシ１００が載置される土台部２５１と、土台部２５１に一体的に設けられる背面板部２５２とを備えている。本実施例に係る土台部２５１は、電動歯ブラシ１００を収納できるように箱状に構成されている。また、背面板部２５２は、電動歯ブラシ１００を支持する機能が必ずしも発揮される必要はなく、その正面側は垂直面によって構成されている。この背面板部２５２の正面側に、上記実施例１の場合と同様に複数の表示部２５３が設けられている。また、本実施例においても、土台部２５１における背面板部２５２の後方側には、交換用のブラシ部品を置くための突起２５４が設けられている。
【００７８】
以上のような構成により、本実施例の場合にも、少なくとも設置スペースに関して、上記実施例１の場合と同様の効果を得ることができる。
【００７９】
（実施例８）
図１７には、本発明の実施例８が示されている。本実施例では上記実施例１における充電台の外観形状の変形例を示す。基本的な構成および作用については実施例１と同一なので、その説明は省略する。図１７は本発明の実施例８に係る載置台（充電台）の斜視図である。
【００８０】
本実施例に係る充電台２６０は、電動歯ブラシ１００が載置される土台部２６１と、土台部２６１に一体的に設けられる背面板部２６２とを備えている。本実施例においては、背面板部２６２の上部に、電動歯ブラシ１００を支持するための一対のガイド２６５が設けられている。これら一対のガイド２６５によって、電動歯ブラシ１００を支持することができるので、背面板部２６２の正面側は垂直面によって構成されている。また、この背面板部２６２の正面側に、上記実施例１の場合と同様に複数の表示部２６３が設けられている。また、本実施例においても、土台部２６１における背面板部２５２の後方側には、交換用のブラシ部品を置くための突起２６４が設けられている。また、土台部２６１の表面側には、電動歯ブラシ１００が載置されているか否かを検出するセンサ２６７が設けられている。
【００８１】
以上のような構成により、本実施例の場合にも、少なくとも設置スペースに関して、上記実施例１の場合と同様の効果を得ることができる。
【図面の簡単な説明】
【００８２】
【図１】図１は本発明の実施例１に係る電動歯ブラシシステムの側面図である。
【図２】図２は本発明の実施例１に係る載置台（充電台）の斜視図である。
【図３】図３は本発明の実施例１に係る載置台（充電台）に電動歯ブラシを載置していない状態と載置している状態を説明する説明図である。
【図４】図４は本発明の実施例１に係る載置台（充電台）の内部構成図である。
【図５】図５は本発明の実施例１に係る載置台（充電台）の表示部の拡大図である。
【図６】図６は本発明の実施例１に係る電動歯ブラシシステムにおける歯磨き中の表示部の表示制御手順を示すフローチャートである。
【図７】図７は本発明の実施例１に係る電動歯ブラシシステムにおける載置台に電動歯ブラシを載置している間の表示部の表示制御手順を示すフローチャートである。
【図８】図８は本発明の実施例１に係る電動歯ブラシシステムにおける載置台に電動歯ブラシを載置している間の表示部の表示制御手順を示すフローチャートである。
【図９】図９は本発明の実施例２に係る載置台（充電台）の表示部の拡大図である。
【図１０】図１０は本発明の実施例３に係る載置台（充電台）の表示部の拡大図である。
【図１１】図１１は本発明の実施例３に係る載置台（充電台）の表示部の拡大図である。
【図１２】図１２は本発明の実施例３に係る電動歯ブラシシステムにおける歯磨き中の表示部の表示制御手順を示すフローチャートである。
【図１３】図１３は本発明の実施例４に係る載置台（充電台）の表示部の拡大図である。
【図１４】図１４は本発明の実施例５に係る載置台（充電台）の表示部の拡大図である。
【図１５】図１５は本発明の実施例６に係る載置台（充電台）の表示部の拡大図である。
【図１６】図１６は本発明の実施例７に係る載置台（充電台）の斜視図である。
【図１７】図１７は本発明の実施例８に係る載置台（充電台）の斜視図である。
【符号の説明】
【００８３】
１００  電動歯ブラシ
１０１  電動歯ブラシ本体
１０２，１０２ａ  ブラシ部品
２００，２００ａ，２００ｂ，２００ｃ，２００ｄ，２００ｅ，２００ｆ  充電台
２０１  土台部
２０２  支持部
２０３  表示部
２０３ａ  光源
２０４  突起
２０５  ガイド
２０６  電源
２０７  センサ
２０８  誘導コイル
２０９  制御基板
２１０，２１１，２１２，２１３，２１４  表示部
２５０  充電台
２５１  土台部
２５２  背面板部
２５３  表示部
２５４  突起
２６０  充電台
２６１  土台部
２６２  背面板部
２６３  表示部
２６４  突起
２６５  ガイド
２６７  センサ
【図１】
0005407175.tif 000002
【図２】
0005407175.tif 000003
【図３】
0005407175.tif 000004
【図４】
0005407175.tif 000005
【図５】
0005407175.tif 000006
【図６】
0005407175.tif 000007
【図７】
0005407175.tif 000008
【図８】
0005407175.tif 000009
【図９】
0005407175.tif 000010
【図１０】
0005407175.tif 000011
【図１１】
0005407175.tif 000012
【図１２】
0005407175.tif 000013
【図１３】
0005407175.tif 000014
【図１４】
0005407175.tif 000015
【図１５】
0005407175.tif 000016
【図１６】
0005407175.tif 000017
【図１７】
0005407175.tif 000018